(57)【要約】【課題】帳票上の残留磁気の影響を軽減し、封筒中の帳票の作像パターンの検知の信頼性を向上させることができる帳票の残留磁気除去方法および装置を提供すること。【解決手段】帳票の残留磁気除去装置は、所定の場所に磁性体を含むインクまたはトナーで作像された作像パターン１２ａ，１２ｂ，１２ｃ，．．．を有する帳票１０ａ，１０ｂ，１０ｃ，．．．の残留磁気を除去する装置であって、作像パターン１２ａ，１２ｂ，１２ｃ，．．．の磁化曲線における飽和磁束密度に対応する強さ以上の一定磁化方向の第１の磁界を発生し、該第１の磁界中で帳票１０ａ，１０ｂ，１０ｃ，．．．を通過させる磁化装置４と、残留磁気の磁化曲線における飽和磁束密度に対応する強さから次第に減衰してゼロになるように可変される交番磁界を発生し、該交番磁界中で、磁化装置４を通過した帳票１０ａ，１０ｂ，１０ｃ，．．．を通過させる減磁装置５とからなる。【選択図】図１
2005302222.tif 000002
【特許請求の範囲】
【請求項１】
所定の場所に磁性体を含むインクまたはトナーで作像された作像パターンを有する帳票の残留磁気を除去する方法であって、
前記帳票を、前記作像パターンの磁化曲線における飽和磁束密度に対応する強さ以上の一定磁化方向の第１の磁界中を通過させ、次いで、前記残留磁気の磁化曲線における飽和磁束密度に対応する強さから次第に減衰してゼロになるように可変される交番磁界中を通過させる
ことを特徴とする帳票の残留磁気除去方法。
【請求項２】
所定の場所に磁性体を含むインクまたはトナーで作像された作像パターンを有する帳票の残留磁気を除去する方法であって、
前記帳票を、前記作像パターンの磁化曲線における飽和磁束密度に対応する強さ以上の一定磁化方向の第１の磁界中を通過させ、次いで、前記第１の磁界と反対の磁化方向であって、前記残留磁気の磁化曲線における保磁力のほぼ２倍以上の強さから前記反対方向における飽和磁束密度に対応する強さまでの範囲内の第２の磁界中を通過させる
ことを特徴とする帳票の残留磁気除去方法。
【請求項３】
所定の場所に磁性体を含むインクまたはトナーで作像された作像パターンを有する帳票の残留磁気を除去する装置であって、
前記作像パターンの磁化曲線における飽和磁束密度に対応する強さ以上の一定磁化方向の第１の磁界を発生し、該第１の磁界中で前記帳票を通過させる磁化装置と、
前記残留磁気の磁化曲線における飽和磁束密度に対応する強さから次第に減衰してゼロになるように可変される交番磁界を発生し、該交番磁界中で、前記磁化装置を通過した前記帳票を通過させる減磁装置と
からなることを特徴とする帳票の残留磁気除去装置。
【請求項４】
所定の場所に磁性体を含むインクまたはトナーで作像された作像パターンを有する帳票の残留磁気を除去する装置であって、
前記作像パターンの磁化曲線における飽和磁束密度に対応する強さ以上の一定磁化方向の第１の磁界を発生し、該第１の磁界中で前記帳票を通過させる磁化装置と、
前記第１の磁界と反対の磁化方向であって、前記残留磁気の磁化曲線における保磁力のほぼ２倍以上の強さから前記反対方向における飽和磁束密度に対応する強さまでの範囲内の第２の磁界を発生し、該第２の磁界中で、前記磁化装置を通過した前記帳票を通過させる減磁装置と
からなることを特徴とする帳票の残留磁気除去装置。
【発明の詳細な説明】
【技術分野】
【０００１】
本発明は、帳票の残留磁気除去方法および装置に関する。
【背景技術】
【０００２】
従来、自動封入封緘機で処理された郵便封書等において、複数の帳票が誤りなく封入されているか否かの非破壊による検査方法として、予め、それぞれの帳票に特定パターンを磁性体で作像しておき、封入後に、作像された特定パターン（以下、作像パターンという）を検知する方法がある（たとえば、特許文献１参照）。
【特許文献１】特許第２６８６２２９号公報
【発明の開示】
【発明が解決しようとする課題】
【０００３】
しかしながら、上述の方法では、特定パターンが作像される前に、帳票表面に付着している磁性体の存在により、作像パターンの検知が困難になることがあった。
【０００４】
すなわち、今日レーザープリンタ等で印刷された帳票の表面には、印刷のインク（トナー）自体あるいは印刷過程の副次的要素のために、わずかながら磁性体が残留することがある。その帳票１枚当たりの残留磁性体による磁気量はわずかであるが、実際には封筒に複数枚が折りたたんで封入されることがあるため、各帳票の残留磁性体が重なって、作像パターンの検知時に無視できない総量となることがある。
【０００５】
そこで本発明は、上述した従来の問題点に鑑み、帳票上の残留磁気の影響を軽減し、封筒中の帳票の作像パターンの検知の信頼性を向上させることができる帳票の残留磁気除去方法および装置を提供することを目的としている。
【課題を解決するための手段】
【０００６】
請求項１記載の発明は、所定の場所に磁性体を含むインクまたはトナーで作像された作像パターンを有する帳票の残留磁気を除去する方法であって、前記帳票を、前記作像パターンの磁化曲線における飽和磁束密度に対応する強さ以上の一定磁化方向の第１の磁界中を通過させ、次いで、前記残留磁気の磁化曲線における飽和磁束密度に対応する強さから次第に減衰してゼロになるように可変される交番磁界中を通過させることを特徴とする。
【０００７】
請求項２記載の発明は、所定の場所に磁性体を含むインクまたはトナーで作像された作像パターンを有する帳票の残留磁気を除去する方法であって、前記帳票を、前記作像パターンの磁化曲線における飽和磁束密度に対応する強さ以上の一定磁化方向の第１の磁界中を通過させ、次いで、前記第１の磁界と反対の磁化方向であって、前記残留磁気の磁化曲線における保磁力のほぼ２倍以上の強さから前記反対方向における飽和磁束密度に対応する強さまでの範囲内の第２の磁界中を通過させることを特徴とする。
【０００８】
請求項３記載の発明は、所定の場所に磁性体を含むインクまたはトナーで作像された作像パターンを有する帳票の残留磁気を除去する装置であって、前記作像パターンの磁化曲線における飽和磁束密度に対応する強さ以上の一定磁化方向の第１の磁界を発生し、該第１の磁界中で前記帳票を通過させる磁化装置と、前記残留磁気の磁化曲線における飽和磁束密度に対応する強さから次第に減衰してゼロになるように可変される交番磁界を発生し、該交番磁界中で、前記磁化装置を通過した前記帳票を通過させる減磁装置とからなることを特徴とする。
【０００９】
請求項４記載の発明は、所定の場所に磁性体を含むインクまたはトナーで作像された作像パターンを有する帳票の残留磁気を除去する装置であって、前記作像パターンの磁化曲線における飽和磁束密度に対応する強さ以上の一定磁化方向の第１の磁界を発生し、該第１の磁界中で前記帳票を通過させる磁化装置と、前記第１の磁界と反対の磁化方向であって、前記残留磁気の磁化曲線における保磁力のほぼ２倍以上の強さから前記反対方向における飽和磁束密度に対応する強さまでの範囲内の第２の磁界を発生し、該第２の磁界中で、前記磁化装置を通過した前記帳票を通過させる減磁装置とからなることを特徴とする。
【発明の効果】
【００１０】
請求項１および３記載の発明によれば、残留磁気１１はほぼゼロに減磁されるので、作像パターンを識別し易い状態になり、作像パターンの磁気を検知して残留磁気の影響の少ない信頼性の高い検知信号を取り出すことができる。
【００１１】
請求項２および４記載の発明によれば、作像パターンは一定磁化方向に磁化され、かつ残留磁気はゼロに減磁または反対磁化方向にわずかに磁化されているので、識別し易い状態になり、作像パターンの磁気を検知して残留磁気の影響の少ない信頼性の高い検知信号を取り出すことができる。
【発明を実施するための最良の形態】
【００１２】
以下、本発明の実施の形態について図面を参照して説明する。図１は、本発明の実施の形態に係る帳票の残留磁気除去方法を実施する残留磁気除去装置を含む封入封緘システムを示す概略構成図である。
【００１３】
図１の封入封緘システムは、制御装置１、印刷装置２、自動封入封緘機３、磁化装置４、減磁装置５および作像パターン検知装置６から構成される。
【００１４】
各々、説明文等が印刷された印刷済み帳票１０ａ，１０ｂ，１０ｃ，．．．が連続する連続帳票１０が、印刷装置２に供給される。印刷済み帳票１０ａ，１０ｂ，１０ｃ，．．．は、説明文等が磁性体を含むインクまたはトナーで印刷されていた場合、説明文等の部分に残留磁気１１が発生していることがある。
【００１５】
印刷装置２は、制御装置１の制御の下に、印刷済み帳票１０ａ，１０ｂ，１０ｃ，．．．の説明文等が印刷されていない空きスペースにおけるそれぞれ異なる箇所に、磁性体を含むインクまたはトナー等によって帳票検知用の特定パターン（たとえば、長方形）を印刷することにより、作像パターン１２ａ，１２ｂ，１２ｃ，．．．を形成する。作像パターン１２ａ，１２ｂ，１２ｃ，．．．に用いられる磁性体は、残留磁気１１の磁性体よりも保磁力の高いものを使用する。
【００１６】
特定パターンが印刷された連続帳票１０は、自動封入封緘機３に供給される。自動封入封緘機３は、供給された連続帳票１０を切り離し、各々の印刷済み帳票１０ａ，１０ｂ，１０ｃ，．．．を分離する。分離された各印刷済み帳票１０ａ，１０ｂ，１０ｃ，．．．は名寄せされ、次いで封筒１３に封入され、最後に封筒１３が封緘される。
【００１７】
自動封入封緘機３で封緘された封筒１３は、磁化装置４に供給される。磁化装置４は、各印刷済み帳票１０ａ，１０ｂ，１０ｃ，．．．が封入された封筒１３全体を充分（すなわち、飽和領域まで）磁化する（このときの磁化方向を＋と仮定する）。この状態では、説明文等の残留磁気１１部分と作像パターン１２ａ，１２ｂ，１２ｃ，．．．部分を含む全ての磁気が、同一方向（＋）にそれぞれ磁化される。
【００１８】
図２は、残留磁気部分と作像パターンの磁化曲線を示す図である。残留磁気の磁化曲線ａおよび作像パターンの磁化曲線ｂは、共にヒステリシス現象を伴う。作像パターンの保磁力Ｈｂは、残残留磁気部分の保磁力Ｈａより高くなっている。磁化装置４では、図２に示すように作像パターンの磁化曲線ｂにおける最大値（飽和磁束密度）に対応する値（＋Ｈｓ）かまたはそれより大きな一定磁化方向（たとえば＋方向）の磁界を発生する。この磁界中で封筒１３を通過させることにより、残留磁気１１部分および作像パターン１２ａ，１２ｂ，１２ｃ，．．．の両方が、飽和域まで磁化される。それにより、磁化装置４を通過した封筒１３中の帳票１０ａ，１０ｂ，１０ｃ，．．．においては、その残留磁気１１部分に、図２に示す残留磁束密度Ｂａが残ると共に、作像パターン１２ａ，１２ｂ，１２ｃ，．．．に、図２に示す残留磁束密度Ｂｂが残る。
【００１９】
磁化装置４を通った封筒１３は、減磁装置５に供給される。減磁装置５では、帳票１０ａ，１０ｂ，１０ｃ，．．．の残留磁気１１のみが減磁されるようにする。具体的には、残留磁気のみが、ほぼゼロまで減磁または反対方向（たとえば、−方向）にわずかに磁化されるようにするのであるが、それには、２つの方法がある。
【００２０】
第１の方法では、減磁装置５は、残留磁気１１のみを減じ作像パターン１２ａ，１２ｂ，１２ｃ，．．．の磁気に影響を与えない程度の強さからスタートして次第に減衰する交番磁界を発生し、この交番磁界中を封筒１３を通過させることにより、残留磁気１１を限りなくゼロに近づける。交番磁界のスタート時の強さは、図２に点線で示されている。すなわち、交番磁界の強さは、スタート時、残留磁気の磁化曲線ａにおける最大値（飽和磁束密度）に対応する値（±Ｈｔ）かまたはそれより大きくされ、そして次第に減衰してゼロになるように可変される。
【００２１】
このような交番磁界中を封筒１３が通過すると、帳票１０ａ，１０ｂ，１０ｃ，．．．の残留磁気１１がほぼゼロになると共に、作像パターン１２ａ，１２ｂ，１２ｃ，．．．の磁気は、残留磁束密度Ｂｂより下がるが、ほとんど減少しない。
【００２２】
次に、第２の方法では、減磁装置５は、作像パターン１２ａ，１２ｂ，１２ｃ，．．．の磁気に影響を与えない強さで、かつ磁化装置４で磁化した磁化方向と反対方向（−）の磁界を発生し、この磁界中を封筒１３を通過させることにより、残留磁気１１をゼロにするかまたは反対方向（−）にわずかに磁化させる。この場合の反対方向（−）の磁界の強さは、図２に一点鎖線で示されている。すなわち、反対方向（−）の磁界の強さは、たとえば、残留磁気の磁化曲線ａにおける保磁力（−Ｈａ）のほぼ２倍に対応する値（−Ｈｃ）か、またはこの値（−Ｈｃ）と飽和磁束密度に対応する値（−Ｈｔ）との間の任意の値に設定される。
【００２３】
このような反対方向（−）の磁界中を封筒１３が通過すると、帳票１０ａ，１０ｂ，１０ｃ，．．．の残留磁気１１がほぼゼロになるかまたは反対方向（−）の磁束密度になるようにわずかに磁化されると共に、作像パターン１２ａ，１２ｂ，１２ｃ，．．．の磁気は、残留磁束密度Ｂｂより下がるが、ほとんど減少しない。
【００２４】
このようにして、減磁装置５を通過して、残留磁気１１がほぼ除去された帳票１０ａ，１０ｂ，１０ｃ，．．．を含む封筒１３は、作像パターン検知装置６に供給される。作像パターン検知装置６では、制御装置１の制御の下に、磁気センサ（図示しない）により、各帳票１０ａ，１０ｂ，１０ｃ，．．．の作像パターン１２ａ，１２ｂ，１２ｃ，．．．の異なる位置を検知し、封筒１３に封入されるべき各帳票１０ａ，１０ｂ，１０ｃ，．．．が誤りなく封入されているか否かが確認される。
【００２５】
この検知時、作像パターン１２ａ，１２ｂ，１２ｃ，．．．は（＋）方向に磁化され、かつ残留磁気１１はゼロまたは（−）方向に磁化されているので、識別し易い状態になり、作像パターン１２ａ，１２ｂ，１２ｃ，．．．の磁気を検知して残留磁気１１の影響の少ない信頼性の高い検知信号を取り出すことができる。
【００２６】
以上の通り、本発明の実施の形態について説明したが、本発明はこれに限らず、種々の変形、応用が可能である。
【００２７】
たとえば、減磁装置５で上述の第２の方法が採用されている場合は、作像パターン検知装置６では、磁気センサとして、磁化方向（＋）も検出することができるものを用いることにより、検知精度を高めることができる。
【００２８】
また、上述の実施の形態では、作像パターン１２ａ，１２ｂ，１２ｃ，．．．は、印刷済み帳票１０ａ，１０ｂ，１０ｃ，．．．の説明文等が印刷されていない空きスペースにおけるそれぞれ異なる箇所に形成されているが、これに代えて、同一封筒に封入すべき帳票には、全て同一箇所に作像パターンを形成しても良い。この場合には、同一封筒に封入された複数の帳票から、異なる場所に作像パターンが形成された帳票を誤封入物として検出することができる。
【図面の簡単な説明】
【００２９】
【図１】本発明の実施の形態に係る帳票の残留磁気除去方法を実施する残留磁気除去装置を含む封入封緘システムを示す概略構成図である。
【図２】残留磁気部分と作像パターンの磁化曲線を示す図である。
【符号の説明】
【００３０】
１    制御装置
２    印刷装置
３    自動封入封緘機
４    磁化装置
５    減磁装置
６    作像パターン検知装置
１０  連続帳票
１０ａ，１０ｂ、１０ｃ  印刷済み帳票
１１  残留磁気
１２ａ，１２ｂ，１２ｃ  作像パターン
１３  封筒
【図１】
2005302222.tif 000003
【図２】
2005302222.tif 000004